(57)【特許請求の範囲】
【請求項１】
十二支の動物のそれぞれのイメージを記憶する動物イメージ記憶手段と、
少なくとも年情報をカウントするカレンダー手段と、
前記カレンダー手段によりカウントされた年情報に基づいた動物のイメージを、前記動物イメージ記憶手段に記憶されたイメージの中から選択するイメージ選択手段と、
前記イメージ選択手段により選択された動物のイメージと共に、特定の文字を出力する出力手段とを具備したことを特徴とする情報処理装置。
【請求項２】
前記イメージ選択手段は、前記カレンダー手段によりカウントされた年情報の翌年の干支の動物のイメージを選択することを特徴とする請求項１に記載の情報処理装置。
【請求項３】
前記十二支の動物のイメージとは異なる別のイメージを記憶する別イメージ記憶手段を更に有し、
前記カレンダー手段は、年情報及び月情報をカウントし、
前記イメージ選択手段は、前記カレンダー手段でカウントした月情報が特定の月の場合、前記別イメージ記憶手段に記憶されたイメージから１つのイメージを選択することを特徴とする請求項１に記載の情報処理装置。
【請求項４】
十二支の動物のそれぞれのイメージを記憶する動物イメージ記憶手段と、
前記十二支の動物とは異なる別イメージを記憶する別イメージ記憶手段と、
少なくとも年情報と月情報とをカウントするカレンダー手段と、
前記カレンダー手段によりカウントされた月情報が第１の月である場合、前記別イメージ記憶手段に記憶されている別イメージから１つのイメージを選択し、前記月情報が第２の月である場合、カウントされた年情報に基づき前記動物イメージ記憶手段に記憶されている動物イメージから１つのイメージを選択する選択手段と、
前記選択手段により選択されたイメージを出力する出力手段とを具備したことを特徴とする情報処理装置。
【請求項５】
前記選択手段は、カウントされた年情報の翌年の干支の動物イメージを選択することを特徴とする請求項４に記載の情報処理装置。
【請求項６】
少なくとも年情報をカウントするカレンダー手段により年情報をカウントするカウント工程と、
前記カウントされた年情報に基づいた動物のイメージを、十二支の動物のそれぞれのイメージを記憶する動物イメージ記憶手段の中から選択するイメージ選択工程と、
前記イメージ選択工程により選択された動物のイメージと共に、特定の文字を出力する出力工程とを具備したことを特徴とする情報処理方法。
【請求項７】
前記イメージ選択工程は、前記カレンダー手段によりカウントされた年情報の翌年の干支の動物のイメージを選択することを特徴とする請求項６に記載の情報処理方法。
【請求項８】
年情報及び月情報をカウントするカレンダー手段により年情報及び月情報をカウントするカウント工程と、
カウントした月情報が特定の月の場合、十二支の動物のイメージとは異なる別のイメージを記憶する別イメージ記憶手段から１つのイメージを選択し、カウントした月情報が前記特定の月以外の月の場合、十二支の動物のそれぞれのイメージを記憶する動物イメージ記憶手段の中から１つの動物のイメージを選択するイメージ選択工程と、
前記イメージ選択工程により選択されたイメージを出力する出力工程とを具備したことを特徴とする情報処理方法。
【発明の詳細な説明】
【０００１】
【発明の属する技術分野】
本発明は、文字、図形、画像等を含んだデータを編集し、表示し、印刷する情報処理装置及び方法に関するものである。
【０００２】
【従来の技術】
従来より、はがきの裏書きをする際には、賀詞、イラスト、年号、添え書きなどの各項目毎にメニューを一覧表示して、所望のデータを選択するという方式が通常行われていた。
【０００３】
例えば、年賀状はがきの作成の場合は、使用者が適切な干支などをメニューから選択していた。
【０００４】
【発明が解決しようとする課題】
しかしながら、上記従来例では、賀詞、イラスト、年号、添え書きなどのすべての項目に対して、使用者がわざわざ選択を行わなければならなかったので、はがきの裏書きをする際には、使用者は常に、年や干支などを意識しておく必要があった。
【０００６】
【課題を解決するための手段】
上記課題を解決するために、本発明に係る情報処理装置においては、十二支の動物のそれぞれのイメージを記憶する動物イメージ記憶手段と、少なくとも年情報をカウントするカレンダー手段と、前記カレンダー手段によりカウントされた年情報に基づいた動物のイメージを、前記動物イメージ記憶手段に記憶されたイメージの中から選択するイメージ選択手段と、前記イメージ選択手段により選択された動物のイメージと共に、特定の文字を出力する出力手段とを具備する。
【０００７】
また、好ましくは、前記イメージ選択手段は、前記カレンダー手段によりカウントされた年情報の翌年の干支の動物のイメージを選択する。
【０００８】
また、好ましくは、前記十二支の動物のイメージとは異なる別のイメージを記憶する別イメージ記憶手段を更に有し、
前記カレンダー手段は、年情報及び月情報をカウントし、
前記イメージ選択手段は、前記カレンダー手段でカウントした月情報が特定の月の場合、前記別イメージ記憶手段に記憶されたイメージから１つのイメージを選択する。
【００１０】
また、本発明の情報処理装置においては、
十二支の動物のそれぞれのイメージを記憶する動物イメージ記憶手段と、
前記十二支の動物とは異なる別イメージを記憶する別イメージ記憶手段と、
少なくとも年情報と月情報とをカウントするカレンダー手段と、
前記カレンダー手段によりカウントされた月情報が第１の月である場合、前記別イメージ記憶手段に記憶されている別イメージから１つのイメージを選択し、前記月情報が第２の月である場合、カウントされた年情報に基づき前記動物イメージ記憶手段に記憶されている動物イメージから１つのイメージを選択する選択手段と、
前記選択手段により選択されたイメージを出力する出力手段とを備える。
【００１１】
また、好ましくは、前記選択手段は、カウントされた年情報の翌年の干支の動物イメージを選択する。
【００１２】
また、本発明の情報処理方法においては、少なくとも年情報をカウントするカレンダー手段により年情報をカウントするカウント工程と、前記カウントされた年情報に基づいた動物のイメージを、十二支の動物のそれぞれのイメージを記憶する動物イメージ記憶手段の中から選択するイメージ選択工程と、前記イメージ選択工程により選択された動物のイメージと共に、特定の文字を出力する出力工程とを具備する。
【００１３】
また、好ましくは、前記イメージ選択工程は、前記カレンダー手段によりカウントされた年情報の翌年の干支の動物のイメージを選択する。
【００１４】
また、本発明の情報処理方法は、年情報及び月情報をカウントするカレンダー手段により年情報及び月情報をカウントするカウント工程と、カウントした月情報が特定の月の場合、十二支の動物のイメージとは異なる別のイメージを記憶する別イメージ記憶手段から１つのイメージを選択し、カウントした月情報が前記特定の月以外の月の場合、十二支の動物のそれぞれのイメージを記憶する動物イメージ記憶手段の中から１つの動物のイメージを選択するイメージ選択工程と、前記イメージ選択工程により選択されたイメージを出力する出力工程とを具備する。
【００２７】
【発明の実施の形態】
図１は、本実施の形態の情報処理装置の機能ブロックを説明した図である。
【００２８】
この図１において、２００は種々のデータを処理する情報処理装置本体、２１１は情報処理装置で扱うはがき裏書きデータを記憶する記憶手段、２１２はイラスト・画像データを記憶する記憶手段、２０３はイラストの内容（版画調、まんが調等）を選択するイラスト内容設定手段、２０１はイラスト内容設定手段２０３に基づいて、対応する書体を設定する書体設定手段、２０２はイラスト内容設定手段２０３に基づいて、対応する添え書きを設定する添え書き設定手段、２０６は年月日の判別手段、２０７は年より干支を得る手段、２０５は判別手段２０６と、年より干支を得る手段２０７により、対応するイラストを設定するイラスト設定手段、２０４はイラスト設定手段２０５と、イラスト内容設定手段２０３により設定された内容に基づいて、イラスト・画像データ記憶手段２１２よりデータを呼び出すための呼び出し手段、２０８は判別手段２０６より得られた月より、対応する年号を設定する年号設定手段、２０９ははがき裏書きデータ記憶手段２１１に記憶されたデータを表示する表示手段、２１０ははがき裏書きデータ記憶手段２１１に記憶されたデータを印字する印字手段である。
【００２９】
また、図２は、本実施の形態の情報処理装置のハードウェア構成を説明した図である。
【００３０】
１は中央演算処理装置（ＣＰＵ）であり、２はイラストデータ等が記憶された読み出し専用メモリ（ＲＯＭ）であり  、３はイラストに関するテーブルやカウンタ等が記憶された読み書き可能なメモリ（ＲＡＭ）であり、４は外部に増設された読み出し専用メモリ（外部ＲＯＭ）であり、５はキーボード制御装置（ＫＢＣ）であり、６はキーボード（ＫＢ）であり、７は表示制御装置（ＣＲＴＣ）であり、８は表示装置（ＣＲＴ）であり、９は周辺装置制御装置（ＰＫＣ）であり、１０は外部記憶装置であるフロッピーディスク（ＦＤ）であり、１１は同じく外部記憶装置であるハードディスク（ＨＤ）であり、１２は印刷装置（ＰＲＴ）であり、１３は年月日の情報を得るためのリアルタイムクロック（ＲＴＣ）であり、１４はそれら装置間のデータの送受信を行うためのシステムバスである。
【００３１】
また、本装置のプログラムは、ＲＯＭ２あるいはＲＡＭ３上に存在し  、ＣＰＵ１がシステムバス１４を通じて、逐次プログラムをＲＯＭ２あるいはＲＡＭ３から読み出しつつ、所望の処理を行う。
【００３２】
ここで、図３は、ＲＯＭ２におけるイラストデータの格納状態を示す図である。本実施の形態では、イラストデータとして、版画風イラストＨＡＮ＿Ｄ３１、南国風イラストＮＡＮ＿Ｄ３２、まんが風イラストＭＡＮ＿Ｄ３３の３種類が用意されている。
【００３３】
更に、図４は、イラストデータが版画風イラストＨＡＮ＿Ｄ３１の場合の、各イラストデータの格納状態を示す図である。版画風ー申Ｉ＿ＳＡＲＵ４１から版画風ー未Ｉ＿ＨＩＴＵＪＩ５２にかけて、十二支のそれぞれの版画風イラストデータが用意されており、更に、干支とは関係のない正月に関連したイラストデータとして、版画風ー宝船Ｉ＿ＴＡＫＡＲＡ５３、版画風ー独楽Ｉ＿ＫＯＭＡ５４、版画風ー門松Ｉ＿ＫＡＤＯ５５も用意されている。
【００３４】
次に、図５は、ＲＡＭ３上にあるイラスト・書体・添え書きテーブルとカウンタ類の一例である。イラスト・書体・添え書きテーブルとして、ＴＢＬ＿１、ＴＢＬ＿２、ＴＢＬ＿３の３つが用意されており、また、年の情報をセットするＣ＿ＮＥＮ５９、月の情報をセットするＣ＿ＭＯＮ６０、Ｃ＿ＮＥＮ５９にセットされた値を１２で割った余りをセットするＥ＿ＮＵＭ６１という３つのカウンタが用意されている。
【００３５】
図６は、南国調イラスト、まんが調イラストの具体的な表示、印字の状態を比較した比較例を示す図である。
【００３６】
また、図７は、作成年によって自動変更される、干支イラストの比較例である。年賀状を作成する際には、作成している年の翌年の干支の動物のイメージが必要なので、１９９４年中に年賀状を作成する場合には、１９９５年の干支である「亥」のイラストが表示、印字され、１９９５年中に年賀状を作成する場合には、１９９６年の干支である「子」のイラストが表示、印字される。
【００３７】
また、図８は、月によって自動変更される、年号とイラストの比較例である。例として、元旦前に作成し損ねた年賀状を１月中に作成する場合の表示、印字例と、２月以降に来年の年賀状を作成する場合の表示、印字例を挙げている。
【００３８】
次に、本発明を情報処理装置に適用した場合の詳細を、図９、１０、１１のフローチャートに従って説明する。
【００３９】
なお、内容の一覧選択や、一覧表示、データの印字、データの表示、データのサーチ等については通常の方法をとるのでここでは説明を省略する。
【００４０】
まず、図９に、イラスト呼び出し処理のフローチャートを示す。
【００４１】
図９では、まず、ステップＳ９１において、イラストの種類（版画風、南国風、まんが風）を選択する。次に、ステップＳ９２において、図４に示すようなイラストデータの名称を画面に一覧表示し、ステップＳ９３において、所望のイラストを選択する。次に、ステップＳ９４に進み、ステップＳ９３において選択したイラストより、図５に示すＴＢＬ＿１、ＴＢＬ＿２、ＴＢＬ＿３のうち、対応するテーブルをサーチする。そして、ステップＳ９５で、テーブルの内容より文字書体が決定され、更にステップＳ９６で、添え書きが決定される。最後に、ステップＳ９７において、裏書きのデータエリアに、決定された文字書体と添え書きのデータをセットする。
【００４２】
次に、図１０に、年情報と月情報により、付加文字とイラストを設定する処理のフローチャートを示す。
【００４３】
図１０では、まず、ステップＳ１０１において、ＲＴＣ１２より得られた年月日の情報により、Ｃ＿ＮＥＮ５９、Ｃ＿ＭＯＮ６０に値をセットする。例えば、先程説明した図５には、各々１９９５、１０がセットされた例が示されている。次に、ステップＳ１０２において、Ｃ＿ＮＥＮ５９にセットされた値を１２で割った余りをＥ＿ＮＵＭ６１にセットする。そして、ステップＳ１０３に進み、Ｃ＿ＭＯＮ６０が１かどうかを判別し、Ｃ＿ＭＯＮ６０が１であれば、ステップＳ１０５に進み、付加文字は「なし」となり、Ｅ＿ＮＵＭ６１には１２をセットする。また、Ｃ＿ＭＯＮ６０が１でなければ、ステップＳ１０４に進み、付加文字として「元旦」をセットする。
【００４４】
次に、図１１に、設定された情報に従った表示・印字処理のフローチャートを示す。この図１１においては、図９、図１０のように設定された情報およびデータに基づいて、はがきの印字、表示に関する処理を行う。
【００４５】
まず、ステップＳ１１１において、図９に示したイラスト呼び出し処理を行い、文字書体、添え書きをセットする。次に、ステップＳ１１２において、図１０に示した年月日対応設定処理を行い、ステップＳ１１３において、はがき内容のイラストデータで、Ｅ＿ＮＵＭ６１の番号に対応するデータをセットする。例えば、図４において、Ｅ＿ＮＵＭ６１に３がセットされている場合には、「子」がセットされ、Ｅ＿ＮＵＭ６１に１２がセットされている場合には、「宝船」がセットされる。次に、ステップＳ１１４に進み、その他の文字情報の設定等を通常の方法でセットする。そして最後に、ステップＳ１１５において、イラストデータの画面表示、あるいは印字を行う。
【００４６】
（他の実施の形態）
本実施の形態では、はがきの裏書きに関する例を説明したが、はがき以外の用紙サイズでもイラストの内容、季節によって、項目を自動設定できる。
【００４７】
また、本実施の形態では、イラストの内容をイラストのタッチで分類したが、イラストの内容を、年賀状、暑中見舞い、クリスマスカードといった、使用内容によって分類しても実施できる。
【００４８】
また、本実施の形態では、イラストを選択することで、他の項目を自動選択したが、イラストではなく、書体等、他の項目によって選択することにより、自動選択するようにしてもよい。
【００４９】
また、本実施の形態では、ひとつの項目を選択することで、他の項目を自動選択したが、ひとつではなく、組み合わせて選択する、例えば、イラストと添え書きは選択し、他の項目を自動選択するようにしてもよい。
【００５０】
また、本実施の形態では、はがきの賀詞や、差出人氏名の書体等については設定しなかったが、添え書きや書体と同様の考えで設定するようにしてもよい。
【００５１】
【発明の効果】
以上記述したように、本発明によれば、選択の操作が簡略化され、季節、干支等の自動設定ができることにより、使用者の間違いをなくすことが可能となり、操作性が向上するという効果がある。
【図面の簡単な説明】
【図１】本発明の実施の形態に係る情報処理装置の機能構成図である。
【図２】本発明の実施の形態に係る情報処理装置の構成を示すプロック図である。
【図３】本発明の実施の形態に係るイラストデータの構成図である。
【図４】本発明の実施の形態に係るイラストデータ版画風の構成例を示す図である。
【図５】本発明の実施の形態に係るイラスト内容に対するテーブルおよび年月日情報を保持するメモリの例を示す図である。
【図６】本発明の実施の形態に係るイラスト内容によるはがきの表示と印字の比較例を示す図である。
【図７】本発明の実施の形態に係る年の差異によるはがきの表示と印字の比較例を示す図である。
【図８】本発明の実施の形態に係る月の差異によるはがきの表示と印字の比較例を示す図である。
【図９】本発明の実施の形態に係るイラスト呼び出しの操作のフローチャートである。
【図１０】本発明の実施の形態に係る年月日の設定動作のフローチャートである。
【図１１】本発明の実施の形態に係るはがきの表示、印字のフローチャートである。
【符号の説明】
２０１  イラスト対応書体設定手段
２０２  イラスト対応添書設定手段
２０３  イラスト内容設定手段
２０４  イラスト・画像データ呼出手段
２０５  年月日対応イラスト設定手段
２０６  年月日判別手段
２０７  干支−年対応設定計算手段
２０８  年月日対応年号設定手段
２０９  データ表示手段
２１０  データ印刷手段
２１１  はがき裏書きデータ記憶手段
２１２  イラスト・画像データ記憶手段
【図１】
0003618859.tif 000002
【図２】
0003618859.tif 000003
【図３】
0003618859.tif 000004
【図４】
0003618859.tif 000005
【図５】
0003618859.tif 000006
【図６】
0003618859.tif 000007
【図７】
0003618859.tif 000008
【図８】
0003618859.tif 000009
【図９】
0003618859.tif 000010
【図１０】
0003618859.tif 000011
【図１１】
0003618859.tif 000012